(57)【要約】【課題】吹出口に配設されたベーンの上流側での気流の流れをスムーズにし、気流の剥離を抑制することにより、騒音の悪化を抑制することができる空気調和機を得ること。【解決手段】空気調和機本体１の吹出口９にベーン１０を備え、そのベーン１０は吹出口９の上流側に位置する硬質材で形成された上流側ベーン１０ａと、吹出口９の下流側に位置する硬質材で形成された下流側ベーン１０ｃと、上流側ベーン１０ａと下流側ベーン１０ｃとの間に介在させられた軟質材で形成された折曲可能な連結ベーン１０ｂとからなり、上流側ベーン１０ａの左右の端面の上流側部に空気調和機本体１に回転自在に軸支された固定軸１１が取り付けられ、下流側ベーン１０ｃの左右の端面の上流側部に空気調和機本体１に配設されたベーンモータ１２に回転させられる回転軸１３が取り付けられている。【選択図】図１
2010181037.tif 000002
【特許請求の範囲】
【請求項１】
空気調和機本体の吹出口にベーンを備え、該ベーンは前記吹出口の上流側に位置する硬質材で形成された上流側ベーンと、前記吹出口の下流側に位置する硬質材で形成された下流側ベーンと、前記上流側ベーンと前記下流側ベーンとの間に介在させられた軟質材で形成された折曲可能な連結ベーンとからなり、
前記上流側ベーンの左右の端面の上流側部に前記空気調和機本体に回転自在に軸支された固定軸が取り付けられ、前記下流側ベーンの左右の端面の上流側部に前記空気調和機本体に配設されたベーンモータに回転させられる回転軸が取り付けられたことを特徴とする空気調和機。
【請求項２】
空気調和機本体の吹出口にベーンを備え、該ベーンは前記吹出口の上流側に位置する上流側ベーンと、前記吹出口の下流側に位置する下流側ベーンとからなり、
前記上流側ベーンの左右の端面の上流側部に前記空気調和機本体に回転自在に軸支された固定軸が取り付けられ、前記下流側ベーンの左右の端面の上流側部寄りに前記空気調和機本体に配設されたベーンモータに回転させられる回転軸が取り付けられ、
前記固定軸と前記回転軸との間に位置する前記上流側ベーンの下流側部と前記下流側ベーンの上流側部とは両者を回動可能に連結されていることを特徴とする空気調和機。
【請求項３】
前記下流側ベーンに取り付けられる回転軸は、回転伝達部材を有することを特徴とする請求項１又は２記載の空気調和機。
【請求項４】
前記空気調和機本体には、中央に吸込口を有し、周辺に４つの吹出口を有するパネルが取り付けられていることを特徴とする請求項１〜３のいずれかに記載の空気調和機。
【発明の詳細な説明】
【技術分野】
【０００１】
本発明は上下方向の気流の流れを制御する風向板を吹出口に設ける空気調和機に関するものである。
【背景技術】
【０００２】
従来の空気調和機は、吹出口に設けられた１枚の風向板を風量の最も良く出る、即ち最も損失の少ない吹出角度に対して形状を最適化しているものである。
また、別の従来の空気調和機は、吹出口に設けられた風向板を２分割し、分割された風向板をそれぞれ手で任意の方向に曲げて好みの方向に集中的な吸気流を偏向させるものである（例えば、特許文献１参照）。
【先行技術文献】
【特許文献】
【０００３】
【特許文献１】特開昭５０−１５１５５０号公報（第１頁、第４図）
【発明の概要】
【発明が解決しようとする課題】
【０００４】
従来の空気調和機は、１枚の風向板を最も損失の少ない吹出角度に対して形状を最適化しているため、違う角度においては騒音が悪化しやすいという問題点があった。
また、別の従来の空気調和機は、風向板を２分割し、分割された風向板をそれぞれ手で任意の方向に曲げて好みの方向に集中的な吸気流を偏向させることはできるが、風向板を２分割しても、吹出角度によっては気流がスムーズに流れず、やはり騒音が悪化しやすいという問題点があった。
【０００５】
本発明は、上記のような課題を解決するためになされたもので、吹出口に配設されたベーンの上流側での気流の流れをスムーズにし、気流の剥離を抑制することにより、騒音の悪化を抑制することができる空気調和機を得ることを目的としている。
【課題を解決するための手段】
【０００６】
本発明に係る空気調和機は、空気調和機本体の吹出口にベーンを備え、該ベーンは前記吹出口の上流側に位置する硬質材で形成された上流側ベーンと、前記吹出口の下流側に位置する硬質材で形成された下流側ベーンと、前記上流側ベーンと前記下流側ベーンとの間に介在させられた軟質材で形成された折曲可能な連結ベーンとからなり、前記上流側ベーンの左右の端面の上流側部に前記空気調和機本体に回転自在に軸支された固定軸が取り付けられ、前記下流側ベーンの左右の端面の上流側部に前記空気調和機本体に配設されたベーンモーターに回転させられる回転軸が取り付けられて構成されている。
【発明の効果】
【０００７】
本発明に係る空気調和機において、空気調和機本体の吹出口にベーンを備え、該ベーンは吹出口の上流側に位置する硬質材で形成された上流側ベーンと、吹出口の下流側に位置する硬質材で形成された下流側ベーンと、上流側ベーンと下流側ベーンとの間に介在させられた軟質材で形成された折曲可能な連結ベーンとからなり、上流側ベーンの左右の端面の上流側部に空気調和機本体に回転自在に軸支された固定軸が取り付けられ、下流側ベーンの左右の端面の上流側部に空気調和機本体に配設されたベーンモーターに回転させられる回転軸が取り付けられ、固定軸と回転軸との間の上流側ベーンと連結ベーンの上流側の一部を固定軸と回転軸で風量最適角度となる下向方向に固定し、下流側ベーンによる風向きを変えるために回転軸を回転させ、連結ベーンの下流側の一部を曲げて下流側ベーンだけ吹出角度が変わるように調整しているので、下流側ベーンのどの吹出し角度においても上流側ベーンでの気流の流れをスムーズにして気流の剥離を抑制することができるため、下流側ベーンのどの吹出角度においても騒音の悪化を抑制することができる。
【図面の簡単な説明】
【０００８】
【図１】本発明の実施の形態１の空気調和機の構成を示す断面図。
【図２】同空気調和機のパネルを示す上面図。
【図３】同空気調和機のベーンにより風向を水平方向に制御した状態を示す要部拡大図。
【図４】同空気調和機のベーンにより風向を下方向に制御した状態を示す要部拡大図。
【図５】同空気調和機のベーンの構成を示す説明図。
【図６】本発明の実施の形態２の空気調和機のベーンにより風向を水平方向に制御した状態を示す要部拡大図。
【図７】同空気調和機のベーンの構成を示す説明図。
【図８】同空気調和機のベーンの中央部分を拡大した構成を示す説明図。
【発明を実施するための形態】
【０００９】
実施の形態１．
図１は本発明の実施の形態１の空気調和機の構成を示す断面図、図２は同空気調和機のパネルを示す上面図、図３は同空気調和機のベーンにより風向を水平方向に制御した状態を示す要部拡大図、図４は同空気調和機のベーンにより風向を下方向に制御した状態を示す要部拡大図、図５は同空気調和機のベーンの構成を示す説明図である。
図において、天井カセット形の空気調和機は、箱状の空気調和機本体１の内部中央に配置されたファン２と、ファン２を駆動するファンモーター３と、ファン２の周囲に配置された熱交換器４と、熱交換器４の下方に配置されたドレンパン５と、電気品箱６とを備えている。
その空気調和機本体１の開口部にはパネル７が取り付けられている。そのパネル７の中央に吸込口８が設けられ、パネル７の周辺に４つの吹出口９が設けられている。
パネル７が取り付けられた空気調和機本体１は、図示しない固定用ボルトにより据付金具を介して天井に固定される。
【００１０】
空気調和機本体１に取り付けられたパネル７に設けられた各吹出口９内に風向板であるベーン１０が設けられている。
そのベーン１０は、吹出口９の上流側に位置する硬質材で形成された上流側ベーン１０ａと、吹出口９の下流側に位置する硬質プラスチック等の硬質材で形成された下流側ベーン１０ｃと、上流側ベーン１０ａと下流側ベーン１０ｃとの間に介在させられたエラストマー等の軟質材で形成された折曲可能な連結ベーン１０ｂとからなり、これらベーン１０ａ〜１０ｃは一体に形成されている。
その硬質材で形成された上流側ベーン１０ａの左右の端面上部に空気調和機本体１に回転自在に軸支される固定軸１１が設けられており、硬質材で形成された下流側ベーン１０ｃの左右の端面上部に空気調和機本体１に配設されたベーンモーター１２に回転させられる回転軸１３が設けられており、その回転軸１３には下流側ベーン１０ｃの端面と一体となる回転伝達部材１４が取り付けられている。
従って、固定軸１１と回転軸１３の間に軟質材で形成された連結ベーン１０ｂが位置することとなる。
【００１１】
次に、上記のように構成された天井カセット形の空気調和機の動作を説明する。
ファンモーター３によりファン２を回転させることにより、パネル７に設けられた吸込口８より室内の空気がフィルター（図示省略）を通過して空気調和機本体１の内部に流入し、ファン２を介して熱交換器４へ流れ込み、ここで熱交換された空気がパネル７に設けられた吹出口９に達し、吹出口９に設けられたベーン１０により吹出方向が調整されて室内空間へ吹出すようにして、室内の空気が循環する。
また、ドレンパン５にて、熱交換器４において空気を熱交換する時に発生するドレン水を捕集し、図示しない排水用のドレンポンプにより空気調和機本体１の外部へ排水される。
【００１２】
この実施の形態１での吹出口９に設けられたベーン１０による吹出方向の調整は、固定軸１１と回転軸１３との間の硬質材で形成された上流側ベーン１０ａと軟質材で形成された連結ベーン１０ｂの上流側の一部を固定軸１１と回転軸１３で風量最適角度となる下向方向に固定し、図３に示すように下流側ベーン１０ｃによる風向きＡを水平方向に制御する場合は、回転軸１３を回転させ、軟質材で形成された連結ベーン１０ｂの下流側の一部を曲げて下流側ベーン１０ｃが水平の吹出角度になるようにする。また、図４に示すように下流側ベーン１０ｃによる風向きを下向方向Ｂに制御する場合は、回転軸１３を回転させ、軟質材で形成された連結ベーン１０ｂの下流側の一部を曲げて下流側ベーン１０ｃが下向きの吹出角度になるようにする。
【００１３】
このように、固定軸１１と回転軸１３との間の硬質材で形成された上流側ベーン１０ａと軟質材で形成された連結ベーン１０ｂの上流側の一部を固定軸１１と回転軸１３で風量最適角度となる下向方向に固定し、下流側ベーン１０ｃによる風向きを変えるために回転軸１３を回転させ、軟質材で形成された連結ベーン１０ｂの下流側の一部を曲げて下流側ベーン１０ｃだけ吹出角度が変わるように調整しているので、下流側ベーン１０ｃのどの吹出し角度においても上流側ベーン１０ａでの気流の流れをスムーズにして気流の剥離を抑制することができるため、下流側ベーン１０ｃのどの吹出角度においても騒音の悪化を抑制することができる。
【００１４】
また、実施の形態１において、回転軸１２に下流側ベーン１０ｃと一体となる回転伝達部材１４を設けることにより、回転軸１２の回転に伴う下流側ベーン１０ｃの回転を容易にするとともに気流による下流側ベーン１０ｃのびびりを抑制することができる。
また、実施の形態１において、ベーン１０は、硬質部材で形成された上流側ベーン１０ａ、下流側ベーン１０ｃと、軟質部材で形成された連結ベーン１０ｂを一体で所定の長さに押出成形し、左右端に固定軸１１と回転軸１３を取り付けることにより、製作することができる。
【００１５】
実施の形態２．
図６は本発明の実施の形態２の空気調和機のベーンにより風向を水平方向に制御した状態を示す要部拡大図、図７は同空気調和機のベーンの構成を示す説明図、図８は同空気調和機のベーンの中央部分を拡大した構成を示す説明図である。
上記実施の形態１では、ベーン１０の下流側ベーン１０ｃの吹出角度を変えるため、固定軸１１と回転軸１３との間に軟質部材で形成された連結ベーン１０ｂを設けていたが、この実施の形態２では、固定軸１１と回転軸１３との間に回動可能な連結部材２３を設けるようにしたものである。
【００１６】
即ち、この実施の形態２のベーン２０は、吹出口上流側に硬質材で形成された上流側ベーン２１と、下流側に硬質材で形成された下流側ベーン２２とからなる。
そして、上流側ベーン２１の左右の端面上流側部にパネル７に回転自在に軸支される固定軸１１が設けられており、下流側ベーン２２の左右の端面上流側部寄りにパネル７に配設されたベーンモーター１２に回転させられる回転軸１３が設けられており、その回転軸１３には下流側ベーン２２の端面と一体となる回転伝達部材１４が取り付けられている。
その上流側ベーン２１の下流側部と下流側ベーン２２の上流側部とは両者を回動可能とする連結部材２３で連結されている。
【００１７】
この連結部材２３は、上流側ベーン２１の左右の端部下流側にそれぞれ設けられた連結用凸部２１ａ及び上流側ベーン２１の中央の下流側に設けられた連結用凸部２１ｂと、下流側ベーン２２の左右の端部上流側にそれぞれ設けられ、前記連結用凸部２１ａと嵌合する連結用凹部２２ａ及び下流側ベーン２２の中央の上流側に設けられ、前記連結用凸部２１ｂと嵌合する連結用凹部２２ｂと、これら嵌合する連結用凸部２１ａ及び連結用凹部２２ａと、これら嵌合する連結用凸部２１ｂ及び連結用凹部２２ｂと、下流側ベーン２２の上流側端部とを遊嵌状態に貫通する連結軸２５とで構成されている。
【００１８】
この実施の形態２では、固定軸１１と回転軸１３との間の硬質材で形成された上流側ベーン２１を固定軸１１と連結部２３で風量最適角度となる下向方向に固定し、下流側ベーン２２による風向きを変えるために回転軸１３を回転させ、上流側ベーン２１を連結部材２３に対して少し揺動させて下流側ベーン２２だけ吹出角度が変わるように調整しているので、下流側ベーン２２のどの吹出し角度においても上流側ベーン２１での気流の流れをスムーズにして気流の剥離を抑制することができるため、下流側ベーン２２のどの吹出角度においても騒音の悪化を抑制することができる。
また、実施の形態２においても、回転軸１２に下流側ベーン２２と一体となる回転伝達部材１４が設けられているので、回転軸１２の回転に伴う下流側ベーン２２の回転を容易にすると共に気流による下流側ベーン２２のびびりを抑制することができる。
【００１９】
また、上記実施の形態１．２において、ベーン１０、２０は、天井カセット形の空気調和機の４方向の吹出口９にそれぞれ設けられており、さらに天井カセット形空気調和機は複数設置されるケースが多いので、騒音の悪化の抑制効果を大きくすることができる。
【符号の説明】
【００２０】
１  空気調和機本体、２  ファン、３  ファンモーター、４  熱交換器、５  ドレンパン、６   電気品箱、７ パネル、８  吸込口、９  吹出口、１０  ベーン、１０ａ  上流側ベーン、１０ｂ  連結ベーン、１０ｃ  下流側ベーン、１１  固定軸、１２  ベーンモーター、１３  回転軸、１４  回転伝達部材。
【図１】
2010181037.tif 000003
【図２】
2010181037.tif 000004
【図３】
2010181037.tif 000005
【図４】
2010181037.tif 000006
【図５】
2010181037.tif 000007
【図６】
2010181037.tif 000008
【図７】
2010181037.tif 000009
【図８】
2010181037.tif 000010